(57)【特許請求の範囲】
【請求項１】
制御装置からの指示に従って光源に電力を供給する照明駆動装置であって、
箱型の筺体と、
前記筺体に収納され、前記制御装置と無線による通信をするためのアンテナを有する無線通信モジュールと、
前記筺体に収納され、前記無線通信モジュールを介して前記制御装置から受信した指示に従って前記光源に電力を供給する照明駆動部とを備え、
前記筺体の対向する２つの面のそれぞれには、前記無線通信モジュールが前記アンテナを励振する方向と立体的に交差する方向に延伸し、前記励振によって前記アンテナから放射された電磁波を通過させるスリットが形成され、
前記無線通信モジュール及び前記照明駆動部は、前記筺体内における前記底面上に、前記長尺形状の短手方向に並べて配置され、
前記スリットは、前記上面及び前記底面において、前記上面及び前記底面に垂直な方向から見て、前記上面及び前記底面を前記短手方向に２等分する中心線よりも前記無線通信モジュールに近い向きにずれた位置で延伸している
照明駆動装置。
【請求項２】
前記無線通信モジュールは、基板を有し、
前記アンテナは、前記基板上に形成された配線パターンを含み、
前記２つの面は、前記基板と対向している
請求項１記載の照明駆動装置。
【請求項３】
前記２つの面は、長尺形状であり、
前記スリットは、前記２つの面のそれぞれにおける長手方向に延伸している
請求項１又は２記載の照明駆動装置。
【請求項４】
前記２つの面は、それぞれ、前記筺体の上面及び底面である
請求項３記載の照明駆動装置。
【請求項５】
前記２つの面に形成されたスリットは、前記２つの面に垂直な方向から見て前記無線通信モジュールと重なっている
請求項１〜４のいずれか１項に記載の照明駆動装置。
【請求項６】
前記２つの面に形成されたスリットは、前記２つの面に垂直な方向から見てお互いに重なっている
請求項１〜５のいずれか１項に記載の照明駆動装置。
【請求項７】
前記スリットは、前記２つの面のそれぞれにおいて、閉じた輪郭で囲まれる孔である
請求項１〜６のいずれか１項に記載の照明駆動装置。
【請求項８】
請求項１〜７のいずれか１項に記載の複数の照明駆動装置と、
前記複数の照明駆動装置に対して無線で指示を送る制御装置と
を備える照明制御システム。 
【発明の詳細な説明】
【技術分野】
【０００１】
本発明は、照明駆動装置及び照明制御システムに関し、特に、無線通信モジュールを備える照明駆動装置等に関する。
【背景技術】
【０００２】
従来、制御装置からの指示に従って光源に電力を供給する照明器具が提案されている（例えば、特許文献１参照）。
【０００３】
特許文献１の照明器具によれば、金属製の筺体で覆われる電源モジュールの外部にアンテナを設けることで、良好な無線通信の送受信機能を確保している。
【先行技術文献】
【特許文献】
【０００４】
【特許文献１】特開２０１５−３７０４２号公報
【発明の概要】
【発明が解決しようとする課題】
【０００５】
しかしながら、特許文献１の照明器具では、電源モジュールの外部に設けられたアンテナを樹脂製の筺体で覆い、かつ、そのアンテナを固定する必要がある。そのために、照明器具の構造が複雑となり、照明器具を構造物に取り付ける工事も煩雑になる。
【０００６】
ここで、照明器具の構造を簡素化するために、アンテナを金属製の筺体に収納することが考えられるが、その場合には、アンテナが放射する電磁波及び外部から侵入する電磁波が金属製の筺体で遮蔽されてしまう。そのために、良好な無線通信の送受信機能を確保することが困難となる。
【０００７】
そこで、本発明は、複雑な構造にすることなく、かつ、良好な無線通信の送受信機能を確保できる照明駆動装置及び照明制御システムを提供することを目的とする。
【課題を解決するための手段】
【０００８】
上記目的を達成するために、本発明の一形態に係る照明駆動装置は、制御装置からの指示に従って光源に電力を供給する照明駆動装置であって、箱型の筺体と、前記筺体に収納され、前記制御装置と無線による通信をするためのアンテナを有する無線通信モジュールと、前記筺体に収納され、前記無線通信モジュールを介して前記制御装置から受信した指示に従って前記光源に電力を供給する照明駆動部とを備え、前記筺体の対向する２つの面のそれぞれには、前記無線通信モジュールが前記アンテナを励振する方向と立体的に交差する方向に延伸し、前記励振によって前記アンテナから放射された電磁波を通過させるスリットが形成され、前記無線通信モジュール及び前記照明駆動部は、前記筺体内における前記底面上に、前記長尺形状の短手方向に並べて配置され、前記スリットは、前記上面及び前記底面において、前記上面及び前記底面に垂直な方向から見て、前記上面及び前記底面を前記短手方向に２等分する中心線よりも前記無線通信モジュールに近い向きにずれた位置で延伸している。
【０００９】
また、上記目的を達成するために、本発明の一形態に係る照明制御システムは、上記複数の照明駆動装置と、前記複数の照明駆動装置に対して無線で指示を送る制御装置とを備える。
【発明の効果】
【００１０】
本発明により、複雑な構造にすることなく、かつ、無線通信の送受信機能を良好に確保することを可能にする照明駆動装置及び照明制御システムが提供される。
【図面の簡単な説明】
【００１１】
【図１】実施の形態に係る照明器具の模式断面図
【図２】図１に示された照明駆動装置の外観斜視図
【図３】図２に示された照明駆動装置の分解斜視図
【図４】図３に示された照明駆動部のブロック図
【図５Ａ】比較例に係る照明駆動装置の電磁波の放射特性を示す図
【図５Ｂ】実施の形態に係る照明駆動装置の電磁波の放射特性を示す図
【図６】実施の形態の変形例に係る照明駆動装置の外観斜視図
【図７】図６に示された照明駆動装置の電磁波の放射特性を示す図
【図８Ａ】測定条件２及び３を説明するための照明駆動装置の外観図
【図８Ｂ】測定条件４を説明するための照明駆動装置の外観図
【図８Ｃ】測定条件５及び６を説明するための照明駆動装置の外観図
【図９】６つの測定条件における電磁波の放射における利得についてのシミュレーション及び実測の結果を示す図
【図１０】実施の形態に係る照明制御システムの構成を示すブロック図
【発明を実施するための形態】
【００１２】
以下、本発明の実施の形態について、図面を用いて詳細に説明する。なお、以下で説明する実施の形態は、いずれも本発明の一具体例を示すものである。以下の実施の形態で示される数値、形状、材料、構成要素、構成要素の配置位置及び接続形態、シミュレーション及び実測の結果等は、一例であり、本発明を限定する主旨ではない。また、以下の実施の形態における構成要素のうち、本発明の最上位概念を示す独立請求項に記載されていない構成要素については、任意の構成要素として説明される。
【００１３】
図１は、実施の形態に係る照明器具１０の模式断面図である。ここでは、ダウンライトである照明器具１０が天井２に埋設して設置された状態が図示されている。また、照明器具１０を無線通信で制御する制御装置４も合せて図示されている。
【００１４】
照明器具１０は、本実施の形態では、ダウンライトであり、灯体２０及び照明駆動装置３０で構成される。
【００１５】
灯体２０は、天井２に埋設して固定され、ＬＥＤ等で構成される光源２１、光源２１を覆うケース２２、及び、ケース２２の落下を防止する板ばね２３を備える。
【００１６】
照明駆動装置３０は、制御装置４からの指示に従って光源２１に電力を供給する電源モジュールであり、商用電源及び灯体２０（厳密には、灯体２０の光源２１）と電気的に接続される。
【００１７】
制御装置４は、照明器具１０を無線通信で制御する装置であり、例えば、アプリの実行の下で照明器具１０に対して無線通信で命令を送信するスマートフォン等の携帯情報端末である。
【００１８】
図２は、図１に示された照明駆動装置３０の外観斜視図である。なお、本図には、直交する３つの方向を示すＸ軸、Ｙ軸及びＺ軸も図示されている（他の図についても同様）。なお、以下の説明において、Ｘ（又は、Ｙ、Ｚ）軸方向とは、Ｘ（又は、Ｙ、Ｚ）軸の正及び負の両方向をいう。ただし、「向き」と記載した場合は、Ｘ（又は、Ｙ、Ｚ）軸の正及び負のうちの一方の方向だけを指す。
【００１９】
照明駆動装置３０は、６つの面（上面３１ａ、底面３１ｂ、４つの側面３１ｃ〜３１ｆ）で囲まれる箱型（つまり、直方体形状）の筺体３１を備える。筺体３１は、内部に回路部品を収納する金属製（例えば、アルミニウム）のケースであり、例えば、高さ（Ｚ軸方向の長さ）が約５ｃｍ、幅（Ｙ軸方向の長さ）が約１８ｃｍ、奥行（Ｘ軸方向の長さ）が約８ｃｍのサイズである。上面３１ａ、底面３１ｂ、２つの側面３１ｃ及び３１ｄは、Ｙ軸方向に延びる長尺形状である。底面３１ｂの長手方向（Ｙ軸方向）の両端には、それぞれ、天井２に固定するためのネジ穴３１ｂ２及び３１ｂ４が設けられた折り曲げ部３１ｂ１及び３１ｂ３が設けられている。
【００２０】
ここで、特徴的な点は、筺体３１の上面３１ａ及び底面３１ｂには、それぞれ、上面３１ａ及び底面３１ｂの長手方向（Ｙ軸方向）に延伸するように、電磁波を通過させるためのスリット９０ａ及び９０ｂが設けられていることである。スリット９０ａ及び９０ｂは、それぞれ、筺体３１の上面３１ａ及び底面３１ｂに形成された閉じた輪郭で囲まれる孔（つまり、切り抜かれた貫通孔）であり、照明駆動装置３０が使用する無線通信の周波数における略半波長の長さを有する。本実施の形態では、照明駆動装置３０が使用する無線通信の周波数が９２０ＭＨｚ帯であり、スリット９０ａ及び９０ｂの形状は、長さが１４５〜１７５ｍｍで、幅が０．１〜５ｍｍの短冊形（長方形又は両端が曲率を有する短冊形）である。
【００２１】
図３は、図２に示された照明駆動装置３０の分解斜視図である。
【００２２】
照明駆動装置３０は、筺体３１、無線通信モジュール４０、及び、照明駆動部５０で構成される。
【００２３】
筺体３１は、底筺体３３と、底筺体３３を覆う蓋筺体３２とで構成される。底筺体３３は、筺体３１の底面３１ｂに相当する。蓋筺体３２は、筺体３１の５つの面（上面３１ａ、及び、４つの側面３１ｃ〜３１ｆ）で構成される。底筺体３３と蓋筺体３２とは、係止又はネジ止め等によって結合される。
【００２４】
無線通信モジュール４０は、筺体３１に収納され、制御装置４と無線による通信をするためのアンテナを有する無線モジュールであり、本図に示されるように、上カバー４１、下カバー４２、及び、回路基板４３で構成される。上カバー４１及び下カバー４２は、これらが係止し合うことで、回路基板４３を収納する絶縁性の筺体を構成しており、例えば、樹脂製のカバーである。回路基板４３は、筺体３１の底面３１ｂと平行となるように配置され、基板４４、基板４４に実装された回路部品４５、及び、基板４４の上に形成された配線パターンを含むアンテナ４６で構成される。アンテナ４６は、本実施の形態では、ＸＹ面に形成され、Ｘ軸方向に長くＹ軸方向に短く走るジグザグ状の配線パターンで構成され、無線通信においてアンテナ４６が励振される方向はＸ軸方向となる。
【００２５】
照明駆動部５０は、筺体３１に収納され、無線通信モジュール４０を介して制御装置４から受信した指示に従って灯体２０の光源２１に電力を供給する回路モジュールである。照明駆動部５０は、本図に示されるように、Ｙ軸方向に延びる長尺形状（長方形状）の基板５１、並びに、基板５１の上に実装された商用電源用コネクタ５２、灯体用コネクタ５３、及び、回路部品５４で構成される。
【００２６】
図４は、図３に示された照明駆動部５０のブロック図である。
【００２７】
照明駆動部５０は、商用電源用コネクタ５２、回路部品５４（ＡＣ／ＤＣコンバータ５４ａ、ＤＣ／ＤＣコンバータ５４ｂ、制御回路５４ｃ）、及び、灯体用コネクタ５３で構成される。
【００２８】
商用電源用コネクタ５２は、商用電源６からの交流電力を供給する電源ケーブルが接続されるコネクタである。ＡＣ／ＤＣコンバータ５４ａは、商用電源用コネクタ５２を介して供給される交流電力を直流電力に変換する整流及び平滑回路である。ＤＣ／ＤＣコンバータ５４ｂは、ＡＣ／ＤＣコンバータ５４ａから出力される直流電圧を、灯体用コネクタ５３を介して光源２１に一定電流を流すのに適した直流電圧に変換する電源回路であり、例えば、スイッチング方式のＤＣ／ＤＣコンバータである。制御回路５４ｃは、無線通信モジュール４０から送られてきた指示に従ってＤＣ／ＤＣコンバータ５４ｂを制御する回路であり、例えば、ＤＣ／ＤＣコンバータ５４ｂが光源２１に供給する電流の大きさ（調光）を制御する。灯体用コネクタ５３は、灯体２０の光源２１に電流を供給するためのケーブルを接続するためのコネクタである。
【００２９】
再び、図３を参照して、本図に示される照明駆動装置３０の特徴的な構造を説明する。
【００３０】
スリット９０ａ及び９０ｂは、それぞれ、筺体３１の上面３１ａ及び底面３１ｂにおいて、無線通信モジュール４０がアンテナ４６を励振する方向（Ｘ軸方向）と立体的に交差する方向（ここでは、Ｙ軸方向）に延伸している。しかも、スリット９０ａ及び９０ｂが設けられる筺体３１の上面３１ａ及び底面３１ｂは、アンテナ４６としての配線パターンが形成された基板４４と対向している。これにより、アンテナ４６から電磁波が放射される方向にスリット９０ａ及び９０ｂが設けられるので、アンテナ４６から高い利得で電磁波が放射され、かつ、外部からアンテナ４６に効率よく電磁波が入射する。
【００３１】
なお、アンテナ４６が励振される方向と交差する方向とは、励振される方向と直交するケースだけに限られず、略直交する（例えば、７０度以上の鋭角で交差する）ケースも含まれる。
【００３２】
また、スリット９０ａ及び９０ｂは、筺体３１の上面３１ａ及び底面３１ｂのそれぞれにおける長手方向（Ｙ軸方向）に延伸している。これにより、筺体３１の長尺形状の面には、無線通信の周波数に適した長さのスリット９０ａ及び９０ｂが長手方向に延伸して形成されるので、無線通信の送受信における利得を良好に確保したうえで、筺体３１のサイズがコンパクト化される。
【００３３】
また、スリット９０ａ及び９０ｂは、筺体３１の側面ではなく、上面３１ａ及び底面３１ｂに形成されている。これにより、構造的に強度が低くなりがちな筺体３１の側面にスリット９０ａ及び９０ｂが設けられることが回避される。よって、筺体３１の製造時又は移動時において筺体３１をつかんだ手の力によって筺体３１の側面が変形してしまうという不具合が回避される。
【００３４】
また、無線通信モジュール４０及び照明駆動部５０は、筺体３１内における底面３１ｂ上に、長尺形状の短手方向（Ｘ軸方向）に並べて配置されている。そして、スリット９０ａ及び９０ｂは、上面３１ａ及び底面３１ｂにおいて、上面３１ａ及び底面３１ｂに垂直な方向（Ｚ軸方向）から見て、上面３１ａ及び底面３１ｂを短手方向に２等分する中心線（Ｙ軸方向の中心線）よりも無線通信モジュール４０に近い向き（Ｘ軸の負の方向）にずれた位置で延伸している。これにより、筺体３１を上面視した場合に、横（Ｘ軸方向）に並べて配置された無線通信モジュール４０及び照明駆動部５０のうち、無線通信モジュール４０に近いほう（Ｘ軸の負の方向）にずれた位置をＹ軸方向に延伸するようにスリット９０ａ及び９０ｂが形成されている。よって、誤って、無線通信モジュール４０よりも重い照明駆動部５０が下方に位置し、無線通信モジュール４０が上方に位置する（側面３１ｄが地面に近い水平面（底面）となる）ように照明駆動装置３０が設置された場合であっても、次のことが確保される。つまり、スリット９０ａ及び９０ｂが筺体３１の上方に位置することとなり、煙突効果により（つまり、スリット９０ａ及び９０ｂが放熱口となり）、照明駆動装置３０の放熱性が確保される。
【００３５】
また、スリット９０ａ及び９０ｂは、筺体３１の上面３１ａ及び底面３１ｂに垂直な方向（Ｚ軸方向）から見て無線通信モジュール４０と重なっている。これにより、スリット９０ａ及び９０ｂは、照明駆動部５０よりも無線通信モジュール４０に近い位置に形成されるので、アンテナ４６から電磁波が効率よく放射され、外部からアンテナ４６に効率よく電磁波が入射される。さらに、上記煙突効果による放熱が効率よく行われる。
【００３６】
また、スリット９０ａ及び９０ｂは、筺体３１の上面３１ａ及び底面３１ｂに垂直な方向（Ｚ軸方向）から見てお互いに重なっている。これにより、アンテナ４６から対称的に放射される電磁波が効率よくスリット９０ａ及び９０ｂを通過し、外部からアンテナ４６に効率よく電磁波が入射する。
【００３７】
また、スリット９０ａ及び９０ｂは、筺体３１の上面３１ａ及び底面３１ｂのそれぞれにおいて、閉じた輪郭で囲まれる孔である。これにより、筺体３１がスリットアンテナとして機能するので、複雑な構造にすることなく、かつ、良好な無線通信の送受信機能が確保される。
【００３８】
次に、以上のように構成された本実施の形態に係る照明駆動装置３０の電磁波の放射特性について、シミュレーションにより得られた結果を用いて説明する。
【００３９】
図５Ａは、筺体１３１にスリットが形成されていない比較例に係る照明駆動装置１３０の電磁波の放射特性を示す図である。具体的には、図５Ａの（ａ）は、照明駆動装置１３０が電磁波を放射しているときの筺体１３１における電流分布を示す。図５Ａの（ｂ）、（ｃ）及び（ｄ）は、それぞれ、ＸＹ面、ＹＺ面、ＺＸ面での電磁波の放射パターンを示す。
【００４０】
図５Ｂは、筺体３１の上面３１ａ及び底面３１ｂにスリット９０ａ及び９０ｂが形成された本実施の形態に係る照明駆動装置３０の電磁波の放射特性を示す図である。具体的には、図５Ｂの（ａ）は、照明駆動装置３０が電磁波を放射しているときの筺体３１における電流分布を示す。図５Ｂの（ｂ）、（ｃ）及び（ｄ）は、それぞれ、ＸＹ面、ＹＺ面、ＺＸ面での電磁波の放射パターン（指向性利得）を示す。
【００４１】
なお、図５Ａの（ａ）及び図５Ｂの（ａ）に示された電流分布では、より色の濃い箇所ほど、大きな電流が流れていることを示している。また、図５Ａの（ｂ）〜（ｄ）及び図５Ｂの（ｂ）〜（ｄ）に示された放射パターンは、各面における完全無指向性アンテナ(isotropic antenna)を基準とする指向性利得（ｄＢｉ）を示している。
【００４２】
図５Ａの（ａ）及び図５Ｂの（ａ）を比較して分かるように、本実施の形態に係る照明駆動装置３０では、スリット９０ａ及び９０ｂが半波長ダイポールアンテナとして機能しているかのような電流分布が得られている。つまり、本実施の形態に係る照明駆動装置３０では、スリット９０ａ及び９０ｂを中心として筺体３１に大きな電流が流れており、筺体３１がスリットアンテナとして機能していることが分かる。
【００４３】
また、図５Ａの（ｂ）〜（ｄ）及び図５Ｂの（ｂ）〜（ｄ）を比較して分かるように、ＸＹ面、ＹＺ面及びＺＸ面のいずれにおいても、比較例に係る照明駆動装置１３０よりも、本実施の形態に係る照明駆動装置３０では、指向性利得が向上している。具体的には、ＸＹ面、ＹＺ面及びＺＸ面のいずれにおいても、比較例に係る照明駆動装置１３０では、約−２９ｄＢｉであるが、本実施の形態に係る照明駆動装置３０では、約−８ｄＢｉであり、本実施の形態では、約２１ｄＢ改善されている。
【００４４】
このように、本実施の形態に係る照明駆動装置３０では、無線通信モジュール４０は筺体３１に収納され、筺体３１の対向する２つの面には、アンテナ４６から放射された電磁波が効率よく通過するスリット９０ａ及び９０ｂが形成されている。よって、無線通信モジュール４０のアンテナ４６を筺体３１の外部に設けることなく、良好に無線通信を行うことが可能となる。つまり、複雑な構造にすることなく、かつ、良好な無線通信の送受信機能を確保できる照明駆動装置３０が実現される。
【００４５】
なお、本実施の形態に係る照明駆動装置３０では、スリット９０ａ及び９０ｂは、筺体３１の上面３１ａ及び底面３１ｂに設けられたが、筺体３１の対向する２つの面であれば、他の面であってもよい。
【００４６】
図６は、上記実施の形態の変形例に係る照明駆動装置３０ａの外観斜視図である。この照明駆動装置３０ａでは、筺体３１の２つの側面３１ｃ及び３１ｄのそれぞれにおける長手方向（Ｙ軸方向）に延伸するように、スリット９１ａ及び９１ｂが形成されている。
【００４７】
なお、このような構造を有する照明駆動装置３０ａでは、図６に示されるように、無線通信モジュール４０（厳密には、無線通信モジュール４０内の基板４４）は、筺体３１の底面３１ｂに対して垂直となる向きに固定される。つまり、無線通信モジュール４０に収納されたアンテナ４６は、本変形例では、ＹＺ面に形成され、Ｚ軸方向に長くＹ軸方向に短く走るジグザグ状の配線パターンで構成され、無線通信においてアンテナ４６が励振される方向はＺ軸方向となる。これにより、本変形例においても、スリット９１ａ及び９１ｂは、それぞれ、筺体３１の側面３１ｃ及び３１ｄにおいて、無線通信モジュール４０がアンテナ４６を励振する方向（Ｚ軸方向）と立体的に交差する方向（ここでは、Ｙ軸方向）に延伸することになる。しかも、スリット９１ａ及び９１ｂは、アンテナ４６としての配線パターンが形成された基板４４に平行して延伸する。
【００４８】
これにより、上記実施の形態と同様に、アンテナ４６から電磁波が放射される方向にスリット９０ａ及び９０ｂが設けられるので、アンテナ４６から高い利得で電磁波が放射され、かつ、外部からアンテナ４６に効率よく電磁波が入射する。
【００４９】
図７は、本変形例に係る照明駆動装置３０ａの電磁波の放射特性を示す図である。上記実施の形態における図５Ｂに対応する図である。つまり、図７の（ａ）は、照明駆動装置３０ａが電磁波を放射しているときの筺体３１における電流分布を示す。図７の（ｂ）、（ｃ）及び（ｄ）は、それぞれ、ＸＹ面、ＹＺ面、ＺＸ面での電磁波の放射パターン（指向性利得）を示す。
【００５０】
図７の（ａ）と比較例に係る図５Ａの（ａ）とを比較して分かるように、本変形例に係る照明駆動装置３０ａでも、スリット９１ａ及び９１ｂを中心として筺体３１に大きな電流が流れており、筺体３１がスリットアンテナとして機能していることが分かる。
【００５１】
また、図７の（ｂ）〜（ｄ）と比較例に係る図５Aの（ｂ）〜（ｄ）とを比較して分かるように、ＸＹ面、ＹＺ面及びＺＸ面のいずれにおいても、比較例に係る照明駆動装置１３０よりも、本変形例に係る照明駆動装置３０ａでは、指向性利得が向上している。具体的には、ＸＹ面、ＹＺ面及びＺＸ面のいずれにおいても、本変形例に係る照明駆動装置３０ａでは、約−９ｄＢｉであり、約２０ｄＢ改善されている。
【００５２】
このように、本変形例に係る照明駆動装置３０ａでは、無線通信モジュール４０は筺体３１に収納され、筺体３１の対向する２つの面には、アンテナ４６から放射された電磁波が効率よく通過するスリット９１ａ及び９１ｂが形成されている。よって、無線通信モジュール４０のアンテナ４６を筺体３１の外部に設けることなく、良好に無線通信を行うことが可能となる。つまり、複雑な構造にすることなく、かつ、良好な無線通信の送受信機能を確保できる照明駆動装置３０ａが実現される。
【００５３】
なお、照明駆動装置の筺体に設けるスリットと無線通信モジュールとの位置関係に依存して、スリットから放射される電磁波の強度が影響を受けるので、それらの関係について、参考データとして、シミュレーション及び実測で確認した結果を示す。
【００５４】
ここでは、照明駆動装置の筺体に設けるスリットと無線通信モジュールとの位置関係として、以下の６種類（６つの測定条件）を採用した。
【００５５】
（１）測定条件１（隙間を全て密閉）
測定条件１は、上記比較例に係る照明駆動装置１３０に対応する。つまり、測定条件１では、照明駆動装置の筺体における全ての隙間が金属で密閉されている。
【００５６】
（２）測定条件２（平行スリットのみ開口）
測定条件２では、照明駆動装置の筺体に設けられる開口として、図８Ａに示されるように、筺体の上面３１ａ及び底面３１ｂに設けられた平行スリット９２ａ及び９２ｂだけが設けられている。つまり、測定条件２では、筺体の上面３１ａ及び底面３１ｂにおいて、無線通信モジュール４０内の基板４４と同一面上（基板４４の直上及び直下でＹ軸方向）に延伸する平行スリット９２ａ及び９２ｂだけが形成されている。
【００５７】
（３）測定条件３（垂直スリットのみ開口）
測定条件３では、照明駆動装置の筺体に設けられる開口として、図８Ａに示されるように、筺体の上面３１ａ及び底面３１ｂに設けられた垂直スリット９３ａ及び９３ｂだけが設けられている。つまり、測定条件３では、筺体の上面３１ａ及び底面３１ｂにおいて、無線通信モジュール４０内の基板４４と直交する方向（Ｘ軸方向）に延伸する垂直スリット９３ａ及び９３ｂだけが形成されている。
【００５８】
（４）測定条件４（アンテナを筺体から露出）
測定条件４では、照明駆動装置の筺体に設けられる開口として、図８Ｂに示されるように、筺体の底面３１ｂに、無線通信モジュール４０内の基板４４に形成されたアンテナ４６が通過できるだけの開口９４だけが設けられている。そして、測定条件４では、筺体の底面３１ｂに設けられた開口９４を介して無線通信モジュール４０のアンテナ４６が外部に露出している。
【００５９】
（５）測定条件５（ＸＺ面の側面上のＡ開口部のみ開口）
測定条件５では、照明駆動装置の筺体に設けられる開口として、図８Ｃに示されるように、ＸＺ面の側面（側面３１ｅ）に形成されたＡ開口部９５だけが設けられている。Ａ開口部９５は、例えば、筺体の上面３１ａ、側面３１ｃ及び３１ｄの端部を折り曲げて形成される側面３１ｅにおける隙間である。
【００６０】
（６）測定条件６（ＹＺ面の側面と底面との境界上のＢ開口部のみ開口）
測定条件６では、照明駆動装置の筺体に設けられる開口として、図８Ｃに示されるように、ＹＺ面の側面（側面３１ｃ及び３１ｄ）と底面３１ｂとの境界上に形成されたＢ開口部９６ａ及び９６ｂだけが設けられている。Ｂ開口部９６ａ及び９６ｂは、例えば、蓋筺体３２と底筺体３３とが重ね合わされる箇所に形成される隙間である（図３参照）。
【００６１】
図９は、上記６つの測定条件における電磁波の放射における利得（ここでは、完全無指向性アンテナを基準とする水平平均利得（ｄＢｉ））について、シミュレーションによる結果（破線）と、実測による結果（実線）とを示す図である。横軸は、上記測定条件１〜６の番号を示し、縦軸は、水平平均利得（ｄＢｉ）を示す。
【００６２】
シミュレーション及び実測ともに、ほぼ同じ傾向を示している。図９から分かるように、測定条件２及び測定条件３では、筺体の隙間を全て密閉した測定条件１と略同様の結果であり、低い利得となっている。このことから、上記実施の形態及び変形例のように、アンテナ４６の配線パターンが形成される基板４４と対向する筺体の面（実施の形態では上面３１ａ及び底面３１ｂ、変形例では側面３１ｃ及び３１ｄ）にスリットを形成するのが好ましいことが分かる。
【００６３】
また、図９に示されるように、測定条件４では、アンテナ４６が筺体３１に収納された測定条件１よりも利得が高くなっているものの、図５Ｂに示された上記実施の形態での利得（−８ｄＢｉ）及び図７に示された変形例での利得（−９ｄＢｉ）よりも低い。このことから、上記実施の形態及び変形例に係る照明駆動装置のように、アンテナ４６を筺体３１に収納することで、筺体３１からアンテナ４６を露出させた場合よりも高い利得で電磁波が放射されることが分かる。
【００６４】
また、図９に示されるように、測定条件５では、６つの測定条件１〜６の中で最も良好な利得が得られているものの、図５Ｂに示された上記実施の形態での利得（−８ｄＢｉ）及び図７に示された変形例での利得（−９ｄＢｉ）よりもわずかに低い。このことから、上記実施の形態及び変形例のように、アンテナ４６の配線パターンが形成される基板４４と対向する筺体の面（実施の形態では上面３１ａ及び底面３１ｂ、変形例では側面３１ｃ及び３１ｄ）にスリットを形成するのが好ましいことが分かる。ただし、この測定条件５のように、筺体３１の長手方向（Ｙ軸方向）の端部における側面（側面３１ｅ及び３１ｆ）にスリットを形成した場合であっても、ある程度の良好な利得で電磁波が放射される。
【００６５】
また、図９に示されるように、測定条件６では、測定条件５よりも利得が低い。このことから、蓋筺体３２と底筺体３３とが重ね合わされる箇所に形成される隙間のようなＢ開口部９６ａ及び９６ｂでは、スリットアンテナとしては十分に機能しないことが分かる。
【００６６】
以上のように、図９に示された参考データから、照明駆動装置の筺体に設けるスリットと無線通信モジュールとの位置関係について、上記実施の形態及び上記変形例に係る照明駆動装置のような関係が確保されることで、アンテナの利得が良好に維持される。つまり、筺体３１の対向する２つの面のそれぞれに、無線通信モジュール４０がアンテナ４６を励振する方向と立体的に交差する方向に延伸するように、スリット９０ａ及び９０ｂが形成されるのが好ましい。さらに、それら２つの面は、アンテナ４６としての配線パターンが形成された基板４４と対向することが好ましい。
【００６７】
以上、本発明に係る照明器具及び照明駆動装置について実施の形態及び変形例に基づいて説明したが、本発明は、これらの照明器具及び照明駆動装置に限られない。図１に示される制御装置４と、照明器具１０又は照明駆動装置３０とを含む照明制御システムとして実現してもよい。
【００６８】
図１０は、本発明に係る照明制御システム６０の実施の形態における構成を示すブロック図である。
【００６９】
照明制御システム６０は、複数の照明駆動装置６４ａ〜６４ｃと、それら複数の照明駆動装置６４ａ〜６４ｃに対して無線で指示を送る１つの制御装置６２とで構成される。なお、図１０には、複数の照明駆動装置６４ａ〜６４ｃからの電力で発光する灯体６６ａ〜６６ｃも合せて図示されている。
【００７０】
複数の照明駆動装置６４ａ〜６４ｃは、上記実施の形態に係る照明駆動装置３０又は上記変形例に係る照明駆動装置３０ａに相当する。また、制御装置６２は、図１における制御装置４に相当する装置であってもよいし、図１における制御装置４からの指示を中継して複数の照明駆動装置６４ａ〜６４ｃに無線で送信する装置であってもよい。
【００７１】
このような照明制御システム６０により、１つの制御装置６２からの無線通信による指示によって、複数の照明駆動装置６４ａ〜６４ｃが制御され、灯体６６ａ〜６６ｃでの調光及び調色等が制御される。
【００７２】
なお、図１０では、照明制御システム６０は、複数の照明駆動装置６４ａ〜６４ｃと、１つの制御装置６２とで構成されたが、これらに、照明駆動装置６４ａ〜６４ｃからの電力で発光する灯体６６ａ〜６６ｃを加えて構成されてもよい。つまり、照明制御システムは、複数の照明器具とそれら複数の照明器具を制御する制御装置で構成されてもよい。
【００７３】
以上、本発明に係る照明駆動装置及び照明制御システムについて、実施の形態及び変形例に基づいて説明したが、本発明は、これらの実施の形態及び変形例に限定されるものではない。本発明の主旨を逸脱しない限り、当業者が思いつく各種変形を実施の形態及び変形例に施したものや、実施の形態及び変形例における一部の構成要素を組み合わせて構築される別の形態も、本発明の範囲内に含まれる。
【００７４】
例えば、上記実施の形態及び変形例における照明駆動装置は、ダウンライトとしての照明器具１０に用いられたが、照明駆動装置の用途は、ダウンライトに限られず、シーリングライト、ペンダントライト、スタンド、スポットライト等であってもよい。
【００７５】
また、上記実施の形態及び変形例では、光源２１は、ＬＥＤで構成されたが、有機ＥＬ（organic electroluminescence display）等の他の種類の光源であってもよい。
【００７６】
また、上記実施の形態及び変形例では、照明駆動装置は、直方体形状の筺体を備えたが、筺体の形状は、これに限られず、立方体、錐体、筒体、又は、それらの結合体であってもよい。
【００７７】
また、上記実施の形態及び変形例では、照明駆動装置が適用される照明器具は、照明駆動装置と灯体とがケーブルで接続される構造を有したが、このような構造に限られず、照明駆動装置と光源とが一つの筺体に収納された照明器具であってもよい。
【００７８】
また、上記実施の形態及び変形例では、照明駆動装置は、筺体における一対の対向する２つの面にだけにスリットが形成されたが、３以上の箇所にスリットが形成されてもよい。例えば、上記実施の形態に係る上面３１ａ及び底面３１ｂに形成されたスリット９０ａ及び９０ｂと、上記変形例に係る側面３１ｃ及び３１ｄに形成されたスリット９１ａ及び９１ｂとが筺体３１に設けられてもよい。
【００７９】
また、上記実施の形態及び変形例では、筺体に形成されるスリットは、筺体の長尺形状の面において長手方向に延伸したが、アンテナを励振する方向と立体的に交差する方向であれば、いかなる方向に延伸してもよい。
【符号の説明】
【００８０】
４、６２  制御装置
２１  光源
３０、３０ａ、６４ａ〜６４ｃ  照明駆動装置
３１  筺体
３１ａ  上面
３１ｂ  底面
４０  無線通信モジュール
４４  基板
４６  アンテナ
５０  照明駆動部
６０  照明制御システム
９０ａ、９０ｂ、９１ａ、９１ｂ  スリット
【図１】
0006731615.tif 000002
【図２】
0006731615.tif 000003
【図３】
0006731615.tif 000004
【図４】
0006731615.tif 000005
【図５Ａ】
0006731615.tif 000006
【図５Ｂ】
0006731615.tif 000007
【図６】
0006731615.tif 000008
【図７】
0006731615.tif 000009
【図８Ａ】
0006731615.tif 000010
【図８Ｂ】
0006731615.tif 000011
【図８Ｃ】
0006731615.tif 000012
【図９】
0006731615.tif 000013
【図１０】
0006731615.tif 000014